(57)【要約】      （修正有）【課題】操作者の使い勝手性を向上させるスライドガラス標本マーキング装置を提供する。【解決手段】スライドガラス標本マーキング装置１００は、入側マーキングスライドガラス標本収納手段１、マーキング印字手段２及び出側マーキングスライドガラス標本収納手段３から構成される。また、マーキング印字後のスライドガラス標本を出側マーキングスライドガラス標本収納手段３に搬出する搬出手段を備える。スライドガラス標本マーキング装置１００は、台座４を備え、台座上に箱体５を載置し、箱体内に設けたステージ６の上の所定位置に載せられたスライドガラス標本７に載置した検体の顕微鏡による検査に用いられる。入側マーキングスライドガラス標本収納手段１は、複数のスライドガラス標本収納箱１０を並列して備え、各スライドガラス標本収納箱１０内に、スライドガラス標本７が積層して保持される。【選択図】図１
0003226991.tif 000002
【実用新案登録請求の範囲】
【請求項１】
ステージ上の所定位置に載せられたスライドガラス標本上の検体を検査する顕微鏡に用いられる当該スライドガラス標本マーキング装置において、
複数のスライドガラス標本収納箱を並列して備え、各スライドガラス標本収納箱内に、スライドガラス標本が積層して保持され、当該スライドガラス標本が表面にマーキングが印字されるフロスト及びマーキング部を備え、当該フロスト及びマーキング部がスライドガラス標本収納箱ごとに異なった色で染色され、前記スライドガラス標本収納箱の数が５色以上の染色数に同じとされた入側マーキングスライドガラス標本収納手段と、
前記スライドガラス標本収納手段からスライドガラス標本を一枚ずつ取り入れ、取り入れた、５色以上の各染色に対応したフロスト及びマーキング部に、検体共通の検体検査項目及び検体ごとの検体検査データ項目をマーキングで印字するマーキング印字手段と、
マーキング印字したフロスト及びマーキング部を備えたスライドガラス標本を積層して保持するものであって、前記入側のスライドガラス標本収納箱数と同一の数からなるスライドガラス標本収納箱を並列して備えた出側マーキングスライドガラス標本収納手段と、
を備えたスライドガラス標本マーキング装置。
【考案の詳細な説明】
【技術分野】
【０００１】
本考案は、スライドガラス標本マーキング装置に関する。
【背景技術】
【０００２】
特許文献１には、複数の動作モードで動作可能な標本作成装置であって、スライドガラスに検体を塗抹するための塗抹部と、染色部と、前記ガラススライドに前記検体の識別情報を印刷するための印刷部と、前記複数の動作モードから一つの動作モードを設定するための設定手段と、動作モードに従って印刷部を制御する制御部と、を備えた標本作成装置が記載される。
【０００３】
特許文献２には、スライドガラスに赤（Ｒ），緑（Ｇ），青（Ｂ），シアン（Ｃ），マゼンタ（Ｍ）又はイエロー（Ｙ）を持つ校正用チップと無色透光性のブランク領域を有するスライドガラスが記載される。
【先行技術文献】
【特許文献】
【０００４】
【特許文献１】特許第４５０８７９０号公報
【特許文献２】特開２０１９−２１１７９２号公報
【考案の概要】
【考案が解決しようとする課題】
【０００５】
スライドガラス標本マーキング装置において、特許文献１に記載されるように入側にマーキングスライドガラス標本収納手段を備え、出側にマーキングスライドガラス標本収納手段を備え、スライドガラスにマーキング部を形成することが知られ、特許文献２に記載されるようにスライドガラスに赤（Ｒ），緑（Ｇ），青（Ｂ），シアン（Ｃ），マゼンタ（Ｍ）又はイエロー（Ｙ）を形成してスライドガラスを色で識別することが知られる。
【０００６】
このようにスライドガラスに赤（Ｒ），緑（Ｇ），青（Ｂ），シアン（Ｃ），マゼンタ（Ｍ）又はイエロー（Ｙ）を形成してスライドガラスを色で識別することが知られるが、入側マーキングスライドガラス標本収納手段及び出側マーキングスライドガラス標本収納手段に形成されるスライドガラス標本収納箱を同数に構成して、同一色のスライドガラス標本を同一色で識別して収納可能な入側及び出側スライドガラス標本収納手段とすることが提案されていない。
【０００７】
本考案は、かかる点に鑑み入側マーキングスライドガラス標本収納手段及び出側マーキングスライドガラス標本収納手段に形成されるスライドガラス標本収納箱を同数に構成して、同一色のスライドガラス標本を当該色で識別して収納可能とした入側及び出側スライドガラス標本収納手段として、スライドガラス標本マーキング装置の操作者の使い勝手性を向上させることを課題とする。
【課題を解決するための手段】
【０００８】
本考案は、ステージ上の所定位置に載せられたスライドガラス標本上の検体を検査する顕微鏡に用いられる当該スライドガラス標本マーキング装置において、
複数のスライドガラス標本収納箱を並列して備え、各スライドガラス標本収納箱内に、表面にマーキングが印字されるフロスト及びマーキング部を備え、当該フロスト及びマーキング部がスライドガラス標本収納箱ごとに異なった色で染色されたスライドガラス標本が積層して保持され、前記スライドガラス標本収納箱の数が５色以上の染色数に同じとされた入側マーキングスライドガラス標本収納手段と、
前記スライドガラス標本収納手段からスライドガラス標本を一枚ずつ取り入れ、取り入れた、５色以上の各染色に対応したフロスト及びマーキング部に、検体共通の検体検査項目及び検体ごとの検体検査データ項目をマーキングで印字するマーキング印字手段と、
マーキング印字したフロスト及びマーキング部を備えたスライドガラス標本を積層して保持するものであって、前記入側のスライドガラス標本収納箱数と同一の数からなるスライドガラス標本収納箱を並列して備えた出側マーキングスライドガラス標本収納手段と、
を備えたスライドガラス標本マーキング装置を提供する。
【０００９】
５色以上の各染色に対応したフロスト及びマーキング部を用いることで、検体検査結果の取得に際して簡便性、汎用性を向上することができる。
【考案の効果】
【００１０】
本考案になるスライドガラス標本マーキング装置は、上述したようにスライドガラス標本収納箱の数が５色以上の染色数に同じとされた入側マーキングスライドガラス標本収納手段と、出側のスライドガラス標本収納箱数と同一の数からなるスライドガラス標本収納箱を並列して備えた出側マーキングスライドガラス標本収納手段を有して構成され、スライドガラス標本マーキング装置の操作者の使い勝手性を向上させることができる。
【図面の簡単な説明】
【００１１】
【図１】本考案の概念を、一部断面を含んで示す図
【図２】スライドガラス標本の構成を示す図
【図３】スライドガラス標本マーキング装置の操作者の使い勝手性を示す図
【考案を実施するための形態】
【００１２】
以下、本考案の実施例を図面に基づいて説明する。
【００１３】
図１は、本考案の概念を、一部断面を含んで示す図である。
【００１４】
図１において、スライドガラス標本マーキング装置１００は、入側マーキングスライドガラス標本収納手段１、マーキング印字手段２及び出側マーキングスライドガラス標本収納手段３から構成される。また、スライドガラス標本マーキング装置１００は、マーキング印字後のスライドガラス標本を出側マーキングスライドガラス標本収納手段３に搬出する搬出手段（図示せず）を備える。スライドガラス標本マーキング装置が、入側マーキングスライドガラス標本収納手段、マーキング印字手段及び出側マーキングスライドガラス標本収納手段および搬出手段を備えることは従来から知られる。
【００１５】
ライドガラス標本マーキング装置１００は、台座４を備え、台座上に箱体５を載置する。
【００１６】
スライドガラス標本マーキング装置１００は、箱体内に設けたステージ６の上の所定位置に載せられたスライドガラス標本７に上に載置した検体の顕微鏡（図示せず）による検査に用いられる。
【００１７】
入側マーキングスライドガラス標本収納手段１は、複数のスライドガラス標本収納箱１０を並列して備える。
【００１８】
各スライドガラス標本収納箱内に、スライドガラス標本７が積層して保持される。
【００１９】
スライドガラス標本７が表面にマーキングが印字されるフロスト及びマーキング部１２を備える。
【００２０】
フロスト及びマーキング部１２がスライドガラス標本収納箱ごとに異なった色で染色される。
【００２１】
スライドガラス標本収納箱の数が５色以上の染色数に同じとされる。
【００２２】
マーキングで印字するマーキング印字手段２は、スライドガラス標本収納手段１からスライドガラス標本７を一枚ずつ取り入れる。
【００２３】
取り入れた、５色以上の各染色に対応したフロスト及びマーキング部１２に、検体共通の検体検査項目及び検体ごとの検体検査データ項目をマーキングで印字する。マーキングは文字、数字、アルファベット、あるいはバーコード・２次元コードで構成し得る。
【００２４】
出側マーキングスライドガラス標本収納手段３は、マーキング印字したフロスト及びマーキング部１２を備えたスライドガラス標本７を積層して保持し、入側のスライドガラス標本収納箱１０の数と同一の数からなるスライドガラス標本収納箱１１を並列して備える。
【００２５】
図２は、スライドガラス標本の構成を示す図である。
【００２６】
図２（a）は、１つのスライドガラス標本７の構成を示し、図２（ｂ）は、複数のスライドガラス標本の組み合わせを示す。
【００２７】
図２（a）において、スライドガラス標本７は、本体のスライドガラス部１３とスライドガラス部の大分部分を占めるブランク部１４とスライドガラス部１３の一方の端部に形成されるフロスト及びマーキング部１２からなる。ブランク部１４の上に検体が載置される。
【００２８】
フロスト及びマーキング部１２には、検体共通の検体検査項目及び検体ごとの検体検査データ項目をマーキングが印字される。この例では、ＸＸＹＹＺＺが検体共通の検体検査項目を示し、１２３４１〜１２３４５が検体ごとの検体検査データ項目を示す。
【００２９】
図２（ｂ）において、５つのスライドガラス標本が組み合わせされた例が示される。
【００３０】
スライドガラス標本上の各フロスト及びマーキング部１２には、異なった色が染色される。この例では、赤（Ｒ），緑（Ｇ），青（Ｂ），シアン（Ｃ）及びイエロー（Ｙ）に染色された５つのフロスト及びマーキング部１２を示す。これらの例に加えて、マゼンター（Ｍ）が加えられ得る。上限数に特に制限がないが、識別の上から１２色までにするのが好ましい。
【００３１】
マーキング印字手段２によって５色以上の各染色に対応したフロスト及びマーキング部に、検体共通の検体検査項目及び検体ごとの検体検査データ項目をマーキングで印字され得る。
【００３２】
図３は、スライドガラス標本マーキング装置の操作者の使い勝手性を示す図である。
【００３３】
図３において、入側マーキングスライドガラス標本収納手段１と出側マーキングスライドガラス標本収納手段３は対応した関係で配置される。スライドガラス標本収納箱の数が５色以上の染色数に同じとされた入側マーキングスライドガラス標本収納手段と、入出側のスライドガラス標本収納箱数と同一の数からなるスライドガラス標本収納箱を並列して備えた出側マーキングスライドガラス標本収納手段が対応して配置される。入側マーキングスライドガラス標本収納手段のスライドガラス標本収納箱と出側マーキングスライドガラス標本収納手段のスライドガラス標本収納箱は同じ容量で同様の形態とすることができる。
【００３４】
入側マーキングスライドガラス標本収納手段１の５つのスライドガラス標本収納箱が３１−３５で示される。出側マーキングスライドガラス標本収納手段３の５つのスライドガラス標本収納箱が３１Ａ−３５Ａで示される。ライドガラス標本収納箱３１−３５は、それぞれライドガラス標本収納箱３１Ａ−３５Ａに対応する。
【００３５】
図３に、使用に際して、Ａ方式，Ｂ方式，Ｃ方式の３つの使い方が示される。
【００３６】
Ａ方式では、スライドガラス標本収納箱３１−３５に保持されたライドガラス標本７は、印字後に対応関係にあるスライドガラス標本収納箱３１Ａ−３５Ａに保持される。
【００３７】
この方式によれば、対応関係を維持して保持されるので、スライドガラス標本収納手段からスライドガラス標本を一枚ずつ取り入れ、取り入れた、５色以上の各染色に対応したフロスト及びマーキング部に、検体共通の検体検査項目及び検体ごとの検体検査データ項目をマーキングで印字することができる。
【００３８】
Ｂ方式では、スライドガラス標本収納箱３１に保存のスライドガラス標本７が、スライドガラス標本収納箱３１Ａ−３５Ａに分配される。スライドガラス標本収納箱３２に保存のスライドガラス標本７についても同様である。
【００３９】
この方式によれば、検体の検査順序に従ってスライドガラス標本収納箱３１Ａ−３５Ａにスライドガラス標本を保持できる。
【００４０】
Ｃ方式では、スライドガラス標本収納箱３１−３５に保持されたライドガラス標本７が検体検査データ項目順序でスライドガラス標本収納箱３１Ａに保持され、次いでスライドガラス標本収納箱３２Ａに保持される。
【００４１】
ライドガラス標本収納箱３１−３５が、それぞれライドガラス標本収納箱３１Ａ−３５Ａに対応する関係にすることで、上述したように汎用性が得られ、使い勝手性が向上する。
【００４２】
検体としては、人間の臓器、バイオ関係の細胞、水産物例えば魚自体あるいは魚の部位、生物の組織などがある。
【００４３】
本実施例によれば、上述したようにスライドガラス標本収納箱の数が５色以上の染色数に同じとされた入側マーキングスライドガラス標本収納手段と、出側のスライドガラス標本収納箱数と同一の数からなるスライドガラス標本収納箱を並列して備えた出側マーキングスライドガラス標本収納手段を有して構成され、スライドガラス標本マーキング装置の操作者の使い勝手性を向上させることができる。
【符号の説明】
【００４４】
１００…スライドガラス標本マーキング装置、１…マーキングスライドガラス標本収納手段、２…マーキング印字手段、３…出側マーキングスライドガラス標本収納手段、４…台座、５…箱体、６…ステージ、７…スライドガラス標本、１０…入側のスライドガラス標本収納箱、１１…出側のスライドガラス標本収納箱、１２…フロスト及びマーキング部。
【図１】
0003226991.tif 000003
【図２】
0003226991.tif 000004
【図３】
0003226991.tif 000005